(57)【要約】【課題】ベゼルの幅が狭小化された表示装置を提供する。【解決手段】表示部を含み、前記表示部は、前面に画像を表示する表示パネルと、平坦部と、前記平坦部の少なくとも一側に位置し、前記画像が表示される方向に曲がったエッジ部と、を含む表示装置。【選択図】図２
2015118377.tif 000002
【特許請求の範囲】
【請求項１】
表示部を含み、前記表示部は、
前面に画像を表示する表示パネルと、
平坦部と、
前記平坦部の少なくとも一側に位置し、前記画像が表示される方向に曲がったエッジ部と、を含む表示装置。
【請求項２】
前記前面上に前記平坦部と重畳して提供されたウインドーパネルをさらに含む請求項１に記載の表示装置。
【請求項３】
前記表示部は、前記表示パネルの前面上に提供されて使用者のタッチイベントを感知するタッチセンサーをさらに含む請求項２に記載の表示装置。
【請求項４】
前記表示部は、前記表示パネルと前記ウインドーパネルとの間に提供された偏光板をさらに含む請求項３に記載の表示装置。
【請求項５】
前記表示部は、前記表示パネルと前記偏光板との間に提供されたダミーフィルムをさらに含む請求項４に記載の表示装置。
【請求項６】
前記表示部を収納するハウジングをさらに含む請求項２〜５のいずれか一項に記載の表示装置。
【請求項７】
前記ハウジングは、
前記表示部の下側に提供され、前記表示パネルの背面と平行である底部と、
前記底部から上向きに折曲された側壁部と、
前記側壁部から前記底部と平行である方向に延長された蓋部と、を含み、
前記蓋部は、平面上から見られた時、前記表示パネルの縁の中で少なくとも一部をカバーする請求項６に記載の表示装置。
【請求項８】
前記エッジ部は、前記ウインドーパネル、前記底部、前記側壁部、及び前記蓋部によって定義された空間内に提供される請求項７に記載の表示装置。
【請求項９】
前記エッジ部は、少なくとも一部が曲がり、所定の曲率半径を有するように曲がる請求項８に記載の表示装置。
【請求項１０】
前記ウインドーパネルの端部と前記側壁部との間の距離は、前記曲率半径と同一であるか、或いはさらに大きい値である請求項９に記載の表示装置。
【請求項１１】
前面に画像を表示する表示パネルを含み、
前記表示パネルの少なくとも１つの端部は、前記画像が表示される方向に曲がった表示装置。
【請求項１２】
前記表示パネルは、基板及び前記基板の前面上の電子素子をさらに含む請求項１１に記載の表示装置。
【請求項１３】
前記電子素子は、
信号を生成する駆動回路と、
前記信号を伝送する信号配線と、
前記信号配線から信号を受信して画像を表示する画素と、を含む請求項１２に記載の表示装置。
【請求項１４】
前記画素は、有機発光素子を含む請求項１３に記載の表示装置。
【請求項１５】
前記表示パネルは、画素が提供された活性領域及び前記活性領域の少なくとも一側に提供された非活性領域を含む請求項１３または１４のいずれか一項に記載の表示装置。
【請求項１６】
前記表示パネルは、平坦部と前記平坦部から延長されたエッジ部とを含み、
前記表示パネルの曲がった端部は、前記エッジ部に提供される請求項１５に記載の表示装置。
【請求項１７】
前記活性領域は、前記平坦部と重畳する請求項１６に記載の表示装置。
【請求項１８】
前記活性領域は、前記平坦部及び前記エッジ部の一部と重畳する請求項１６または１７のいずれか一項に記載の表示装置。
【発明の詳細な説明】
【技術分野】
【０００１】
本発明は表示装置に関する。
【背景技術】
【０００２】
ＯＬＥＤ（ｏｒｇａｎｉｃ  ｌｉｇｈｔ−ｅｍｉｔｔｉｎｇ  ｄｉｓｐｌａｙ）、ＬＣＤ（ｌｉｑｕｉｄ  ｃｒｙｓｔａｌ  ｄｉｓｐｌａｙ）、ＦＥＤ（ｆｉｅｌｄ  ｅｍｉｓｓｉｏｎ  ｄｉｓｐｌａｙ）、ＰＤＰ（ｐｌａｓｍａ  ｄｉｓｐｌａｙ  ｐａｎｅｌ）等のような平板表示パネルを利用する表示装置はテレビジョン、モバイルフォン等に適用されている。
【０００３】
一般的に上述した表示装置は画像が表示される領域と、画像が表示されない縁領域とを含み、縁領域はベゼルで囲まれている。ベゼルが広く提供される場合には表示装置の体積が大きくなるため、広い表示領域を維持しながら表示装置の体積を小さくするためにはベゼル幅を狭小化することが望ましい。
【先行技術文献】
【特許文献】
【０００４】
【特許文献１】米国特許出願公開第２０１１／０２３４５２５号明細書
【特許文献２】特開２０１１―０４７９７６号公報
【発明の概要】
【発明が解決しようとする課題】
【０００５】
そこで、本発明は、上記に鑑みてなされたものであり、本発明の目的とするところは、ベゼルの幅が狭小化された、新規かつ改良された表示装置を提供することにある。
【課題を解決するための手段】
【０００６】
上記課題を解決するために、本発明のある観点によれば、表示部を含み、前記表示部は、前面に画像を表示する表示パネルと、平坦部と、前記平坦部の少なくとも一側に位置し、前記画像が表示される方向に曲がったエッジ部と、を含む表示装置が提供される。
【０００７】
前記表示装置は、前記前面上に前記平坦部と重畳して提供されたウインドーパネルをさらに含んでもよい。
【０００８】
前記表示部は、前記表示パネルの前面上に提供されて使用者のタッチイベントを感知するタッチセンサーをさらに含んでもよい。
【０００９】
前記表示部は、前記表示パネルと前記ウインドーパネルとの間に提供された偏光板をさらに含んでもよい。
【００１０】
前記表示部は、前記表示パネルと前記偏光板との間に提供されたダミーフィルムをさらに含んでもよい。
【００１１】
前記ウインドーパネルは、前記表示部上に提供されて前記表示部を保護するウインドーフィルムを含んでもよい。
【００１２】
前記ウインドーパネルは、前記ウインドーフィルムと前記表示部との間に提供され、使用者のタッチイベントを感知するタッチセンサーをさらに含んでもよい。
【００１３】
前記ウインドーパネルは、前記表示部と前記ウインドーフィルムとの間に提供された偏光板をさらに含んでもよい。
【００１４】
前記表示装置は、前記表示部を収納するハウジングをさらに含んでもよい。
【００１５】
前記ハウジングは、前記表示部の下側に提供され、前記表示パネルの背面と平行である底部と、前記底部から上向きに折曲された側壁部と、前記側壁部から前記底部と平行である方向に延長された蓋部と、を含み、前記蓋部は、平面上から見られた時、前記表示パネルの縁の中で少なくとも一部をカバーしてもよい。
【００１６】
前記エッジ部は、前記ウインドーパネル、前記底部、前記側壁部、及び前記蓋部によって定義された空間内に提供されてもよい。
【００１７】
前記エッジ部は、少なくとも一部が曲がり、所定の曲率半径を有するように曲がってもよい。
【００１８】
前記ウインドーパネルの端部と前記側壁部との間の距離は、前記曲率半径と同一であるか、或いはさらに大きい値を有してもよい。
【００１９】
前記底部と前記側壁部の少なくとも一部とは、前記エッジ部に対応して前記エッジ部に沿って曲がった表面を有してもよい。
【００２０】
前記ハウジングは、前記ウインドーパネルの端部と前記エッジ部との間に提供される支持部をさらに含んでもよい。
【００２１】
前記支持部は、前記蓋部と分離されない一体に形成されてもよい。
【００２２】
前記平坦部は、四辺を含む長方形状に提供されてもよい。
【００２３】
前記エッジ部は、前記平坦部の四辺の中で少なくとも一辺に対応して提供されてもよい。
【００２４】
前記表示部は、前記エッジ部が前記平坦部の四辺の中で一辺〜三辺に対応して提供される時、前記エッジ部が提供されない辺に対応して提供され、前記エッジ部の曲がった方向と反対方向に曲がった付加エッジ部をさらに含んでもよい。
【００２５】
前記表示部は、前記エッジ部が提供されない辺に対応して配置されて前記表示パネルに連結された提供された印刷回路基板をさらに含んでもよい。
【００２６】
また、上記課題を解決するために、本発明の別の観点によれば、前面に画像を表示する表示パネルを含み、前記表示パネルの少なくとも１つの端部は、前記画像が表示される方向に曲がった表示装置が提供される。
【００２７】
前記表示パネルは、基板及び前記基板の前面上の電子素子をさらに含んでもよい。
【００２８】
前記電子素子は、信号を生成する駆動回路と、前記信号を伝送する信号配線と、前記信号配線から信号を受信して画像を表示する画素と、を含んでもよい。
【００２９】
前記画素は、有機発光素子を含んでもよい。
【００３０】
前記表示パネルは、画素が提供された活性領域及び前記活性領域の少なくとも一側に提供された非活性領域を含んでもよい。
【００３１】
前記表示パネルは、平坦部と前記平坦部から延長されたエッジ部とを含み、前記表示パネルの曲がった端部は、前記エッジ部に提供されてもよい。
【００３２】
前記活性領域は、前記平坦部と重畳してもよい。
【００３３】
前記活性領域は、前記平坦部及び前記エッジ部の一部と重畳してもよい。
【発明の効果】
【００３４】
以上説明したように本発明によれば、ベゼルの幅が狭小化された表示装置が提供される。
【図面の簡単な説明】
【００３５】
【図１】本発明の一実施形態による表示装置の斜視図である。
【図２】図１のＩ−Ｉ’線に沿う断面図である
【図３】本発明の一実施形態による表示装置において、表示部を示した斜視図である。
【図４Ａ】本発明の表示装置においての表示パネルを示した平面図である。
【図４Ｂ】本発明の表示装置においての表示パネルを示した断面図である。
【図５】図４Ａに表示された画素の等価回路図である。
【図６】表示部に含まれた表示パネルにおいて、曲率半径に沿う変形（ｓｔｒａｉｎ）程度を示したグラフである。
【図７Ａ】曲率半径に沿う変形程度を測定するために各曲率半径別に表示パネルを曲げた比較例を示した図面である。
【図７Ｂ】曲率半径に沿う変形程度を測定するために各曲率半径別に表示パネルを曲げた実施形態を各々示した図面である。
【図８】本発明の実施形態による表示装置でのウインドーパネルと表示部とを示した断面図である。
【図９】本発明の実施形態による表示装置でのウインドーパネルと表示部とを示した断面図である。
【図１０】本発明の実施形態による表示装置でのウインドーパネルと表示部とを示した断面図である。
【図１１】本発明の実施形態による表示装置でのウインドーパネルと表示部とを示した断面図である。
【図１２】本発明の一実施形態による表示装置において、図１のＩ−Ｉ’線に対応する断面図である。
【図１３】本発明の一実施形態による表示部を示した斜視図である。
【図１４】本発明の一実施形態による表示部を示した斜視図である。
【発明を実施するための形態】
【００３６】
本発明は多様な変更を加えることができ、様々な形態を有することができるので、特定実施形態に対して図面に例示し、本文で詳細に説明する。しかし、これは本発明を特定の開示形態に対して限定しようとするものでなく、本発明は、本発明の思想及び技術範囲に含まれる全ての変更、均等物または代替物を含むものとして理解されなければならない。なお、本明細書及び図面において、実質的に同一の機能構成を有する構成要素については、同一の符号を付することにより重複説明を省略する。
【００３７】
添付された図面において、構造物の寸法は本発明を明確に説明するために実際より拡大して示されている。また、第１、第２等の用語は多様な構成要素を説明するために使用されるが、構成要素は用語によって限定されない。上記の用語は１つの構成要素を他の構成要素から区別する目的のみに使用される。例えば、本発明の権利範囲を逸脱することなく第１構成要素は第２構成要素と称されてもよく、また、同様に第２構成要素も第１構成要素と称されてもよい。単数の表現は、文脈上明確に複数の表現を除外しない限り、複数の表現を含む。
【００３８】
本出願で、“包む”又は“有する”等の用語は明細書上に記載された特徴、数字、段階、動作、構成要素、部品又はこれらを組合せたものが存在することを指定しようとするものであるが、これらは、１つ又はそれ以上の他の特徴や数字、段階、動作、構成要素、部分品又はこれらを組合せたものの存在又は付加可能性を予め排除しないこととして理解されなければならない。また、層、膜、領域、板等の部分が他の部分“上に”あるとする場合、これは他の部分の“直ちに上に”にある場合のみでなく、その中間にその他の部分がある場合も含む。反対に層、膜、領域、板等の部分が他の部分“下に”あるとする場合、これは他の部分“直ちに下に”にある場合のみでなく、その中間にその他の部分がある場合も含む。
【００３９】
以下に添付図面を参照しながら、本発明の好適な実施の形態について詳細に説明する。
【００４０】
図１は本発明の一実施形態による表示装置の斜視図である。図２は図１のＩ−Ｉ’線に沿う断面図である。図３は本発明の一実施形態による表示装置において、表示部を示した斜視図である。
【００４１】
ここで、説明を簡単にするため、画像が表示される面が、ｘ軸とｙ軸とがなす面と平行になり、表示装置で画像が表示される方向をｚ軸方向として説明する。また、ｚ軸方向を上部方向、ｚ軸方向と反対になる方向を下部方向として説明する。しかし、各軸が向かう方向は相対的な概念として他の方向に変換されてもよい。例えば、図１及び図２では画像が表示されるｚ軸方向が上部方向に表示されたが、ｚ軸方向（又は画像が表示される方向）が上部方向ではなく、下部方向、或いは側部方向に変更されてもよい。
【００４２】
図１において、本発明の一実施形態による表示装置が携帯電話の場合を示したが、表示装置は携帯電話に限定されない。本発明の一実施形態において、表示装置は画像を表示できるものであれば、これに限定されない。例えば、表示装置はテレビジョン又は外部広告板のような大型電子機器を始めとして、個人用コンピューター、ノートブック型コンピューター、個人デジタル端末機、自動車ナビゲーションユニット、ゲーム機、携帯用電子機器、腕時計型電子機器、カメラのような中小型電子装備等に適用されてもよい。これは単なる実施形態として例示されたものであって、本発明の概念を逸脱しない限り、本発明は他の電子機器にも適用可能であることは当然である。
【００４３】
図１〜図３を参照すれば、表示装置は表示部ＤＰＰ、表示部ＤＰＰ上に提供されたウインドーパネルＷＤＰ、及び表示部ＤＰＰを収納するハウジングＨＳＧを含む。
【００４４】
表示部ＤＰＰは多様な形状の板状に提供され、画像が表示される前面と前面に対向する背面とを含む。前面はｚ軸方向に向かう面であり、背面はｚ軸方向と反対方向に向かう面である。
【００４５】
前面において、表示部ＤＰＰは画像が表示される活性領域ＡＣＴと活性領域ＡＣＴの少なくとも一側に位置した非活性領域Ｎ＿ＡＣＴとを含む。本発明の一実施形態において、非活性領域Ｎ＿ＡＣＴは活性領域ＡＣＴの周辺に沿って提供される。活性領域ＡＣＴには画像を表示する最小単位である画素が提供される。画素は複数個提供され、マトリックス状に配列されている。
【００４６】
表示部ＤＰＰは平面上から見る時、互いに平行な２対の辺を有する長方形の形状である。表示部ＤＰＰにおいて、２対の辺の中でいずれか一対の辺が他の一対の辺より長く提供される。本発明の一実施形態では表示部ＤＰＰが一対の長辺と一対の短辺とを有する長方形状に示され、長辺の延長方向をｘ軸方向、短辺の延長方向をｙ軸方向として示される。
【００４７】
表示部ＤＰＰはｚ軸方向に画像を表示する表示パネルを含む。表示部ＤＰＰには表示パネル以外に追加的なフィルムが追加されてもよいし、省略されてもよい。本発明の一実施形態において、表示部ＤＰＰの形状は表示パネルの形状と実質的に同様に提供される。
【００４８】
本発明の一実施形態によれば、表示パネルは有機発光表示パネルである。しかし、表示部ＤＰＰに含まれる表示パネルは有機発光表示パネル以外にも画像を表示可能であれば、特別に限定されない。表示パネルは、例えば、プラズマディスプレーパネル（ｐｌａｓｍａ  ｄｉｓｐｌａｙ  ｐａｎｅｌ）、液晶表示パネル（ｌｉｑｕｉｄ  ｃｒｙｓｔａｌ  ｄｉｓｐｌａｙ  ｐａｎｅｌ）、エレクトロ・ウェッティング表示パネル（ｅｌｅｃｔｒｏｗｅｔｔｉｎｇ  ｄｉｓｐｌａｙ  ｐａｎｅｌ）、電気泳動表示パネル（ｅｌｅｃｔｒｏｐｈｏｒｅｔｉｃ  ｄｉｓｐｌａｙ  ｐａｎｅｌ）、ＭＥＭＳ表示パネル（ｍｉｃｒｏｅｌｅｃｔｒｏｍｅｃｈａｎｉｃａｌ  ｓｙｓｔｅｍ  ｄｉｓｐｌａｙ  ｐａｎｅｌ）等である。本発明の一実施形態において、表示パネルが受光型表示パネルである場合、表示パネルの少なくとも一側に光を出射する光源が提供される。なお、表示パネルについては後述する。
【００４９】
表示部ＤＰＰは少なくとも一部が可撓性を有する。本発明の一実施形態において、表示部ＤＰＰは全体が可撓性を有する軟質領域からなってもよい。しかし、表示部ＤＰＰの可撓性はこれに限定されず、本発明の他の実施形態で、表示部ＤＰＰは可撓性を有する軟質領域（ｆｌｅｘｉｂｌｅ  ａｒｅａ）と軟質領域の少なくとも一側に提供され、可撓性がない硬質領域（ｒｉｇｉｄ  ａｒｅａ）を含むことができる。表示部ＤＰＰが折れる仮想の線を折り線であるとする時、折り線は軟質領域内に提供される。“可撓性がある”又は“可撓性がない”と、“軟質”又は“硬質”という用語は折り畳み式表示装置の性質を相対的に示した用語である。即ち、“可撓性がない”及び“硬質”という表現は可撓性が全く無い、硬い場合のみならず、可撓性があるが、軟質領域より小さい可撓性を有する場合を含む。
【００５０】
表示部ＤＰＰは個別的には平坦である状態で提供され、表示装置として組立された最終状態では最初に提供された形態から変形された形態で提供されることもある。表示部ＤＰＰは可撓性を有する部分で曲げられる。用語“曲がる”は１つ以上の特定ライン、即ち折畳み線に沿って曲がるか、或いは曲がったことを意味し、曲がった時、曲がる角度が直角や直角に近いこと、又は直角より大きいことを意味する。“折られる”という表現もまた同一の意味として使用される。
【００５１】
表示部ＤＰＰは最終表示装置として組立された状態で、平坦部ＰＬと、その平坦部ＰＬの少なくとも一側に位置し、画像が表示される方向、即ちｚ軸方向に曲がったエッジ部ＥＤＧとを含む。
【００５２】
平坦部ＰＬは表示部ＤＰＰの各辺と平行な辺を有する長方形状に提供される。平坦部ＰＬは平坦に提供され、特定方向に曲がらないか、折られない。例えば、平坦部ＰＬはｘ−ｙ平面と平行になる。“平坦である”という用語は折られたか、或いは曲がったことに比べ相対的に平坦であることを意味する。したがって、本発明の一実施形態において、平坦部ＰＬはｘ−ｙ平面と平行な面として完全に平坦である場合のみならず、使用者が対向する方向に対して膨らんでいるか、或いは凹んでいる場合を含む。
【００５３】
エッジ部ＥＤＧは平坦部ＰＬの四辺の中で少なくともいずれか一辺に対応して平坦部ＰＬから延長される。本発明の一実施形態では表示部ＤＰＰの長辺に沿って平坦部ＰＬの両側にエッジ部ＥＤＧが配置されたことが一例として図示されている。エッジ部ＥＤＧは使用者が位置する方向に曲がるか、或いは折られる。
【００５４】
本発明の実施形態において、活性領域ＡＣＴは平坦部ＰＬ内に位置する。非活性領域Ｎ＿ＡＣＴは平坦部ＰＬの縁の中で一部とエッジ部ＥＤＧ内に位置する。しかし、活性領域ＡＣＴと非活性領域Ｎ＿ＡＣＴとの位置はこれに限定されない。例えば、活性領域ＡＣＴはその一部がエッジ部ＥＤＧ内に延長されて提供されてもよく、この場合、活性領域ＡＣＴは平坦部ＰＬ及びエッジ部ＥＤＧの一部と重畳されてもよい。図３では活性領域ＡＣＴの一部がエッジ部ＥＤＧと重畳されたことを一例として示した。
【００５５】
ウインドーパネルＷＤＰは表示部ＤＰＰの前面上、即ち画像が表示される面上に提供される。本発明の一実施形態において、ウインドーパネルＷＤＰは表示部ＤＰＰの平坦部ＰＬ上のみに提供され、エッジ部ＥＤＧには提供されない。ウインドーパネルＷＤＰは表示装置の外側で表示部ＤＰＰの平坦部ＰＬをカバーすることによって外部の応力や外部の衝撃から表示部ＤＰＰを保護する。
【００５６】
ウインドーパネルＷＤＰは平坦部ＰＬの形状に対応して提供される。即ち、ウインドーパネルＷＤＰは平面上から見る時、平坦部ＰＬのように長方形状を有する。ウインドーパネルＷＤＰは可撓性を有するか、或いは有しなくともよい。
【００５７】
ウインドーパネルＷＤＰは表示部ＤＰＰの厚さより大きい厚さを有するが、これに限定されず、表示部ＤＰＰを保護できる限度内で表示部ＤＰＰより僅かに小さい厚さを有してもよい。
【００５８】
ハウジングＨＳＧは表示部ＤＰＰとウインドーパネルＷＤＰとを収納し、表示部ＤＰＰとウインドーパネルＷＤＰとの少なくとも一部を包んで、外部の応力や衝撃から表示部ＤＰＰを保護する。
【００５９】
ハウジングＨＳＧは底部ＢＴ、側壁部ＷＬ、及び蓋部ＣＶを含む。
【００６０】
底部ＢＴは表示部ＤＰＰの下側に提供される。底部ＢＴの上面は平坦部ＰＬの背面と平行になり、底部ＢＴの上面と平坦部ＰＬの背面とは互いに接触する。底部ＢＴは平面上から見る時、平坦部ＰＬと重畳する。
【００６１】
側壁部ＷＬは底部ＢＴに対してｚ軸方向（上向き）に延長（折曲）され、底部ＢＴに対して実質的に垂直である。側壁部ＷＬは底部ＢＴと分離されない一体に形成できるが、これに限定されず、側壁部ＷＬは底部ＢＴと別個の構造物で形成されて組合されてもよい。
【００６２】
蓋部ＣＶは側壁部ＷＬから底部ＢＴと平行な方向に延長される。蓋部ＣＶは表示部ＤＰＰの少なくとも一部をカバーする。蓋部ＣＶは平面上から見る時、エッジ部ＥＤＧの全部をカバーする。蓋部ＣＶは平面上から見る時、平坦部ＰＬの一部をカバーできるが、これに限定されず、平坦部ＰＬをカバーしなくともよい。蓋部ＣＶは底部ＢＴ及び／又は側壁部ＷＬと分離されない一体に形成できるが、これに限定されず、底部ＢＴ及び／又は側壁部ＷＬと別個の構造物で形成されて組合されてもよい。
【００６３】
底部ＢＴ、側壁部ＷＬ、及び蓋部ＣＶはｙ軸方向に開口された空間を形成する。表示部ＤＰＰにおいて、エッジ部ＥＤＧはウインドーパネルＷＤＰ、底部ＢＴ、側壁部ＷＬ、及び蓋部ＣＶによって定義された空間内に位置する。
【００６４】
断面上から見る時、エッジ部ＥＤＧは一端が平坦部ＰＬに連結され、他端が一端と垂直であるか、或いは垂直に近い角度に曲がるか、或いは折られる。エッジ部ＥＤＧの両端間の部分は所定曲率半径Ｒを有し、曲がる。曲率半径Ｒは表示部ＤＰＰの厚さ、弾性度、空間の大きさ等によって変わられる。エッジ部ＥＤＧと連結される平坦部ＰＬの端部又はウインドーパネルＷＤＰの端部から側壁部ＷＬまでの距離Ｄは曲率半径Ｒと同一であるか、或いはさらに大きい値を有する。
【００６５】
本発明の一実施形態において、底部ＢＴと側壁部ＷＬとの少なくとも一部は所定曲率半径を有し、曲がったエッジ部ＥＤＧの形状に対応して、エッジ部ＥＤＧに沿って曲がった表面を有する。
【００６６】
本発明の一実施形態において、平面上から見る時、蓋部ＣＶは表示部ＤＰＰの縁を覆うベゼルとして機能する。エッジ部ＥＤＧが曲がることによって、蓋部ＣＶの幅Ｗ、即ちベゼルの幅が狭小化される。
【００６７】
さらに、画像が表示される方向にエッジ部ＥＤＧが曲がることによって、表示部ＤＰＰに提供される素子の損傷が減少する。これについては後述する。本発明の一実施形態において、蓋部ＣＶの上に蓋部ＣＶを覆う別のベゼルがさらに提供される。この場合にも、ベゼルの幅が狭小化される。
【００６８】
本発明の一実施形態において、表示部は表示パネルとして有機発光表示パネルを含む。有機発光表示パネルは第１電極（例えば、アノード電極）と第２電極（例えば、カソード電極）との間に有機物からなされた発光層を具備する。有機電界発光素子はこれらの電極に陽極及び陰極の電圧が各々印加されることによって、第１電極から注入された正孔（ｈｏｌｅ）が正孔輸送層を経由して発光層に移動され、電子は第２電極から電子輸送層を経由して発光層に移動されて、発光層で電子と正孔とが再結合して励起子（ｅｘｉｔｏｎ）を生成するようになる。この励起子が励起状態から基底状態に遷移することによって、発光層の蛍光性分子が発光することによって画像を形成する。
【００６９】
図４Ａ及び図４Ｂは各々本発明の表示装置において表示部に含まれる表示パネルＤＰを示した平面図及び断面図である。図５は図４Ａに表示された画素の等価回路図である。
【００７０】
図４Ａ、図４Ｂ、及び図５を参照すれば、表示パネルＤＰは基板ＳＵＢと基板ＳＵＢの前面上に提供された電子素子ＤＶを含む。電子素子ＤＶは信号を提供する駆動回路ＤＶＣ、信号を伝達（伝送）する信号配線ＳＧＬ、及び信号配線ＳＧＬから信号が伝達されて画像を表示する少なくとも１つの画素ＰＸＬ等を含む。
【００７１】
駆動回路ＤＶＣは非活性領域Ｎ＿ＡＣＴに提供される。本発明において、駆動回路ＤＶＣは基板ＳＵＢ上に実装される。駆動回路ＤＶＣは後述する信号配線の中でゲートラインＧＬ、又はデータラインＤＬに信号を提供するゲート駆動回路ＤＶＣ又はデータ駆動回路ＤＶＣの中で少なくともいずれか１つである。本発明の他の実施形態において、駆動回路ＤＶＣは省略されてもよく、この場合、外部に駆動回路ＤＶＣが実装されて信号配線ＳＧＬに連結されてもよい。
【００７２】
信号配線ＳＧＬはゲートラインＧＬ、データラインＤＬ、及び駆動電圧ラインＤＶＬを含み、非活性領域Ｎ＿ＡＣＴ及び活性領域ＡＣＴに提供される。
【００７３】
ゲートラインＧＬは一方向に延長される。データラインＤＬはゲートラインＧＬと交差する他方向に延長される。駆動電圧ラインＤＶＬはデータラインＤＬと実質的に同一の方向に延長される。ゲートラインＧＬは後述する薄膜トランジスタに走査信号を伝達し、データラインＤＬは薄膜トランジスタにデータ信号を伝達し、駆動電圧ラインＤＶＬは薄膜トランジスタに駆動電圧を提供する。
【００７４】
画素ＰＸＬは活性領域ＡＣＴに提供されて画像を表示する。画素ＰＸＬは信号配線に連結された薄膜トランジスタ、薄膜トランジスタに連結された有機発光素子ＥＬ、及びキャパシターＣｓｔを含む。
【００７５】
薄膜トランジスタは有機発光素子を制御するための駆動薄膜トランジスタＴＲ２と、駆動薄膜トランジスタＴＲ２をスイッチングするスイッチング薄膜トランジスタＴＲ１とを含む。本発明の一実施形態では一画素ＰＸＬが２つの薄膜トランジスタＴＲ１、ＴＲ２を含むことを説明するが、これに限定されず、１つの画素ＰＸＬに１つの薄膜トランジスタとキャパシター、又は１つの画素ＰＸＬに３つの以上の薄膜トランジスタと２以上のキャパシターとを具備することができる。
【００７６】
スイッチング薄膜トランジスタＴＲ１はゲート電極、ソース電極、及びドレーン電極を含む。スイッチング薄膜トランジスタＴＲ１のゲート電極はゲートラインに連結され、スイッチング薄膜トランジスタＴＲ１のソース電極はデータラインＤＬに連結される。スイッチング薄膜トランジスタＴＲ１のドレーン電極は駆動薄膜トランジスタＴＲ２のゲート電極に連結される。スイッチング薄膜トランジスタＴＲ１はゲートラインＧＬから受信された走査信号にしたがってデータラインＤＬから受信されたデータ信号を駆動薄膜トランジスタＴＲ２に伝達する。
【００７７】
駆動薄膜トランジスタＴＲ２はまたゲート電極、ソース電極、及びドレーン電極を含む。駆動薄膜トランジスタＴＲ２のゲート電極はスイッチング薄膜トランジスタＴＲ１に連結され、駆動薄膜トランジスタＴＲ２のソース電極は駆動電圧ラインＤＶＬに連結され、駆動薄膜トランジスタＴＲ２のドレーン電極は有機発光素子ＥＬに連結される。
【００７８】
有機発光素子ＥＬは発光層と、その発光層を介して互いに対向する第１電極及び第２電極を含む。本発明の一実施形態において、第１電極はアノードであり、第２電極はカソードであるが、本発明の他の実施形態において、第１電極はカソードであり、第２電極はアノードであってもよい。
【００７９】
第１電極は駆動薄膜トランジスタＴＲ２のドレーン電極と連結される。第２電極には共通電圧が印加され、発光層ＥＭＬは駆動薄膜トランジスタＴＲ２の出力信号にしたがって発光することによって画像を表示する。
【００８０】
キャパシターＣｓｔは駆動薄膜トランジスタＴＲ２のゲート電極とソース電極との間に連結され、駆動薄膜トランジスタＴＲ２のゲート電極から受信されたデータ信号を充電し、維持する。
【００８１】
表示パネルＤＰは軟性回路基板ＦＣＢ及び印刷回路基板ＰＣＢをさらに含む。図４Ａにおいて、軟性回路基板ＦＣＢと印刷回路基板ＰＣＢとは点線で示されている。
【００８２】
印刷回路基板ＰＣＢは画像を制御する制御部及び制御部から提供された画像信号を、画像を具現できる駆動信号に変換して出力する出力部を含む。
【００８３】
軟性回路基板ＦＣＢは印刷回路基板ＰＣＢから出力した駆動信号を信号配線ＳＧＬに伝達する。軟性回路基板ＦＣＢの一端は信号配線ＳＧＬに連結される。軟性回路基板ＦＣＢと信号配線ＳＧＬとの間には異方性導電フィルムやコネクターのような連結部材が提供される。信号配線ＳＧＬは軟性回路基板ＦＣＢに連結された部分でファンアウトの形状に形成される。軟性回路基板ＦＣＢの他端は印刷回路基板ＰＣＢに連結される。軟性回路基板ＦＣＢと印刷回路基板ＰＣＢとの間には異方性導電フィルムやコネクターのような連結部材が提供される。
【００８４】
軟性回路基板ＦＣＢ及び印刷回路基板ＰＣＢは平坦部ＰＬの各辺の中でエッジ部ＥＤＧが提供されない辺に提供される。本発明の一実施形態において、エッジ部ＥＤＧは表示部ＤＰＰの長辺方向に沿って両側に提供されたので、軟性回路基板ＦＣＢ及び印刷回路基板ＰＣＢは表示部ＤＰＰの短辺側に提供された。
【００８５】
軟性回路基板ＦＣＢは可撓性を有し、曲がるか、或いは折られることができる。本発明の一実施形態において、図面に示されなかったが、軟性回路基板ＦＣＢは表示パネルＤＰの縁に沿って折られる。例えば、軟性回路基板ＦＣＢは一端部が表示パネルＤＰの信号配線ＳＧＬに連結された状態でエッジ部ＥＤＧが折られる方向と反対方向に折られ、その結果、他端部が表示パネルＤＰの背面側に位置することができる。又は軟性回路基板ＦＣＢはハウジングの外部面に沿って折られ、その結果、軟性回路基板の他端部がハウジングの背面側に位置することができる。本発明の一実施形態において、軟性回路基板ＦＣＢ及び／又は印刷回路基板ＰＣＢの機能を遂行する電子素子が基板ＳＵＢ上に実装される場合には軟性回路基板ＦＣＢ及び／又は印刷回路基板ＰＣＢが省略されてもよい。また、本発明の一実施形態において、軟性回路基板ＦＣＢと印刷回路基板ＰＣＢとは一体になっている。この場合、一体になった回路基板は可撓性を有する。
【００８６】
上記した構造を有する表示装置において、表示部ＤＰＰの一部が、画像が表示される方向に曲がることによって、ベゼルの幅を狭小化できると同時に表示部ＤＰＰに提供される素子の損傷が減少する。
【００８７】
図６は表示パネルにおいて、曲率半径に沿う変形（ｓｔｒａｉｎ）程度を示したグラフである。変形程度は表示パネルＤＰが変形されなかった時を０％として測定された。
【００８８】
図７Ａ及び図７Ｂは各曲率半径別に表示パネルＤＰが曲がった比較例（ＴＢと示される）と実施形態（ＣＢと示される）とを各々示した図面である。比較例と実施形態では基板ＳＵＢとその基板ＳＵＢ上に提供された電子素子ＤＶとを含み、上部方向に画像を表示する表示パネルが使用された。比較例と実施形態で使用されたパネルは曲がる前までのすべての条件は同様に維持させた。
【００８９】
比較例による表示パネルＤＰは、図７Ａに示したように、表示パネルＤＰの平坦部ＰＬに連結されたエッジ部ＥＤＧが基板ＳＵＢと電子素子ＤＶとの中で基板ＳＵＢの方に曲がる。これによって、表示パネルＤＰにおいて基板ＳＵＢには圧縮力が印加され、電子素子ＤＶには張力が印加される。
【００９０】
実施形態による表示パネルＤＰは、図７Ｂに示したように、表示パネルＤＰの平坦部ＰＬに連結されたエッジ部ＥＤＧが基板ＳＵＢと電子素子ＤＶとの中で電子素子ＤＶの方に曲がる。これによって、表示パネルＤＰにおいて基板ＳＵＢには張力が印加され、電子素子ＤＶには圧縮力が印加される。
【００９１】
再び図６を参照すれば、本発明の比較例による表示パネルは曲率半径が小さくなっても所定範囲の変形が生じる。即ち、本発明の比較例による表示パネルは曲率半径が３ｍｍ以上では約１％以下の変形が生じる。しかし、表示パネルＤＰにおいて曲率半径が所定範囲、即ち３ｍｍ未満であれば、表示パネルＤＰは破損され、これによって変形程度を測定できない。
【００９２】
これに比べて、本発明の実施形態による表示パネルＤＰは、順次的に曲率半径を縮小した場合のその変形程度が最大−１．５％に過ぎず、曲率半径が１ｍｍになるまで破損されなかった。
【００９３】
図６のグラフは表示パネルＤＰの素子において、張力と圧縮力とが各々印加される場合、張力が印可される時の電子素子の損傷が、圧縮力が印加される時より大きいことを意味する。特に素子での破れ目（ｃｒａｃｋ）は体積膨張によって空洞（ｖｏｉｄ）が発生する時に発生頻度が増加するので、電子素子に張力よりは圧縮力が作用するように折られる場合、電子素子の欠陥発生率を低くすることができる。本発明の一実施形態による表示装置によれば、表示パネルにおいてのエッジ部が、画像が表示される方向に折られることによって、電子素子に張力の代わりに圧縮力が作用され、これによって電子素子の損傷が減少するか、或いは防止される。
【００９４】
本発明の一実施形態による表示装置において、ウインドーパネル又は表示部は多様な構成要素を含むことができる。図８〜図１１は本発明の実施形態による表示装置でのウインドーパネルＷＤＰと表示部ＤＰＰとを表示した断面図である。以下の実施形態において、説明の重複を防止するために、各実施形態において互に異なる部分を主に説明し、説明されなかった部分は一実施形態にしたがう。
【００９５】
図８を参照すれば、本発明の一実施形態において、ウインドーパネルＷＤＰはウインドーフィルムＷＤと使用者のタッチイベントを感知するタッチセンサーＴＳＰとを含む。
【００９６】
ウインドーフィルムＷＤは表示部ＤＰＰでの画像が前面に表示できるように透明な物質からなされる。ウインドーフィルムＷＤは表示部ＤＰＰを介してハウジングＨＳＧと対向する位置の中で最外側に提供される。
【００９７】
タッチセンサーＴＳＰは平面上から見る時、ウインドーフィルムＷＤと同一の面積と同一の形状を有するように形成される。タッチセンサーＴＳＰは表示部ＤＰＰの平坦部ＰＬと重畳して形成され、エッジ部ＥＤＧには形成されない。
【００９８】
タッチセンサーＴＳＰはウインドーフィルムＷＤと表示部ＤＰＰとの間に提供される。タッチセンサーＴＳＰは使用者のタッチイベントを感知できれば、その種類や形状等は限定されない。例えば、本発明の一実施形態においてタッチセンサーＴＳＰは容量性タッチセンサーであってもよい。本発明の他の実施形態においてタッチセンサーＴＳＰは他のタッチセンシング技術、例えば、抵抗性タッチセンサー、音響タッチセンサー、光センサー、圧電センサー等が使用されることができる。また、図８ではタッチセンサーＴＳＰがウインドーフィルムＷＤ上に個別的な層として提供されたことを示したが、これに限定されず、例えば、複数の層に提供されるか、或いはウインドーフィルムＷＤ上の一部のみに提供される。
【００９９】
図９を参照すれば、本発明の一実施形態において、表示部ＤＰＰは表示パネルＤＰと使用者のタッチイベントを感知するタッチセンサーＴＳＰを含む。
【０１００】
タッチセンサーＴＳＰは表示パネルＤＰの前面上に提供され、その結果、タッチセンサーＴＳＰは表示パネルＤＰとウインドーパネルＷＤＰとの間に介在される。
【０１０１】
本実施形態において、タッチセンサーＴＳＰは平面上から見る時、表示パネルＤＰと同一の面積と同一の形状を有するように形成されるので、タッチセンサーＴＳＰは表示部ＤＰＰの平坦部ＰＬ及びエッジ部ＥＤＧに全面的に形成される。タッチセンサーＴＳＰは表示パネルＤＰと共にエッジ部ＥＤＧで曲がる。
【０１０２】
図１０を参照すれば、本発明の一実施形態において、ウインドーパネルＷＤＰはウインドーフィルムＷＤ上に順次的に積層されたタッチセンサーＴＳＰ及び偏光板ＰＯＬを含む。
【０１０３】
偏光板ＰＯＬは偏光板ＰＯＬを通る光を所定方向に偏光するための光学シートとして、タッチセンサーＴＳＰと表示部ＤＰＰとの間に提供される。
【０１０４】
偏光板ＰＯＬは平面上から見る時、ウインドーフィルムＷＤ及び／又はタッチセンサーＴＳＰと同一の面積と同一の形状を有するように形成されるので、偏光板ＰＯＬは表示部ＤＰＰの平坦部ＰＬと重畳して形成され、エッジ部ＥＤＧには形成されない。
【０１０５】
本実施形態において、ウインドーフィルムＷＤ上にタッチセンサーＴＳＰと偏光板ＰＯＬとが順次的に共に提供されたことが図示されたが、これに限定されない。例えば、本発明の一実施形態においてタッチセンサーＴＳＰと偏光板ＰＯＬの位置は変更されてもよい。
【０１０６】
本発明の一実施形態において、タッチセンサーＴＳＰが省略され、表示パネルＤＰ上に偏光板ＰＯＬのみが提供されてもよい。
【０１０７】
また、本発明の一実施形態では偏光板ＰＯＬが提供された例を示したが、偏光板ＰＯＬの代わりに他の光学シートが配置されてもよい。例えば、本発明の一実施形態では偏光板ＰＯＬの代わりに光学補償フィルムが提供されてもよい。または、本発明の一実施形態では偏光板ＰＯＬの代わりにダミーフィルムが提供されてもよい。ダミーフィルムはウインドーパネルＷＤＰを支持するためのものであって、別の光学的機能を有しないフィルムであってもよい。
【０１０８】
図１１を参照すれば、本発明の一実施形態において、表示部ＤＰＰは表示パネルＤＰ、表示パネルＤＰ上に順次的に積層された偏光板ＰＯＬ、及びタッチセンサーＴＳＰを含む。
【０１０９】
偏光板ＰＯＬは表示パネルＤＰとタッチセンサーＴＳＰとの間に提供され、タッチセンサーＴＳＰがウインドーパネルＷＤＰと接する。
【０１１０】
偏光板ＰＯＬは平面上から見る時、表示パネルＤＰ及び／又はタッチセンサーＴＳＰと同一の面積と同一の形状を有するように形成されるので、偏光板ＰＯＬは表示部ＤＰＰの平坦部ＰＬ及びエッジ部ＥＤＧに全面的に形成される。
【０１１１】
本実施形態において、表示パネルＤＰ上に偏光板ＰＯＬとタッチセンサーＴＳＰとが順次的に共に提供されたことが図示されたが、これに限定されない。例えば、本発明の一実施形態においてタッチセンサーＴＳＰと偏光板ＰＯＬの位置は変更されてもよい。又は本発明の一実施形態において、タッチセンサーＴＳＰが省略され、表示パネルＤＰ上に偏光板ＰＯＬのみが提供されてもよい。
【０１１２】
また、本発明の一実施形態では偏光板ＰＯＬが提供された例を示したが、偏光板ＰＯＬの代わりに他の光学シートが配置されてもよい。例えば、本発明の一実施形態では偏光板ＰＯＬの代わりに光学補償フィルムが提供されてもよい。または、本発明の一実施形態では偏光板ＰＯＬの代わりにダミーフィルムが提供されてもよい。ダミーフィルムはウインドーパネルＷＤＰを支持するためのものであって、別の光学的機能を有しないフィルムであってもよい。
【０１１３】
図面に図示しなかったが、図８〜図１１に図示された実施形態以外に、他の層がウインドーパネルＷＤＰ及び／又は表示部ＤＰＰに含まれてもよい。例えば、ウインドーパネルＷＤＰはウインドーフィルムＷＤ、タッチセンサーＴＳＰ、及び偏光板ＰＯＬからなされた層の中で少なくとも１つとして接着層、粘着層、保護層、追加ダミー層、反射防止層、散乱層、等の多様な機能性層が提供されてもよい。
【０１１４】
本発明の一実施形態による表示装置において、ハウジングは多様な方式に変形され得る。図１２は本発明の一実施形態による表示装置において、図１のＩ−Ｉ’線に対応する断面図である。以下の実施形態では説明を簡単にするため、上述した本発明の一実施形態と異なる点を主に説明し、省略された部分は上述した本発明の一実施形態にしたがう。
【０１１５】
図１２を参照すれば、ハウジングＨＳＧは底部ＢＴ、側壁部ＷＬ、蓋部ＣＶ、及び支持部ＳＰＰを含む。
【０１１６】
支持部ＳＰＰは底部ＢＴ、側壁部ＷＬ、及び蓋部ＣＶからなされた空間内でエッジ部ＥＤＧを安定的に支持し、固定するためのものである。
【０１１７】
支持部ＳＰＰは蓋部ＣＶから底部ＢＴ方向に突出され、少なくとも一部が側壁部ＷＬと平行である。支持部ＳＰＰは底部ＢＴ、側壁部ＷＬ、蓋部ＣＶ、及びウインドーパネルＷＤＰがなす空間内に提供される。支持部ＳＰＰはウインドーパネルＷＤＰと表示部ＤＰＰのエッジ部ＥＤＧとの間に位置してエッジ部ＥＤＧとウインドーパネルＷＤＰとの間の空間を充填する。支持部ＳＰＰにおいて、エッジ部ＥＤＧと対向する面はエッジ部ＥＤＧの曲がった表面に対応して、同一形状に提供されてもよい。底部ＢＴ及び／又は側壁部ＷＬもまたエッジ部ＥＤＧと対向する面がエッジ部ＥＤＧの曲がった表面に対応して同一の形状に提供されてもよい。これによって、支持部ＳＰＰの表面と支持部ＳＰＰの表面と対向する側壁部ＷＬの表面はエッジ部ＥＤＧの厚さぐらいの距離又はそれより大きいな距離に離隔され、互いに並行に提供される。エッジ部ＥＤＧは支持部ＳＰＰ及び底部ＢＴ及び／又は側壁部ＷＬの間の空間に提供される。その結果、エッジ部ＥＤＧはウインドーパネルＷＤＰと側壁部ＷＬとの間で安定的に固定される。
【０１１８】
支持部ＳＰＰは蓋部ＣＶと分離されない一体に形成できるが、これに限定されず、蓋部ＣＶと別個の構造物で形成されて組合されてもよい。
【０１１９】
本発明の一実施形態による表示装置において、エッジ部ＥＤＧは上述した実施形態と異なる個数に提供されることもある。図１３は本発明の一実施形態による表示部ＤＰＰを示した斜視図である。
【０１２０】
図１３によれば、本発明の一実施形態による表示部ＤＰＰにおいて、エッジ部ＥＤＧは平坦部ＰＬの四辺の中で少なくとも一辺に対応して上記した辺にしたがって長く提供される。本発明の一実施形態では表示部ＤＰＰの長辺の中で１つの辺に沿って平坦部ＰＬの一側にエッジ部ＥＤＧが配置されたことが一例として図示された。これによって、図１３ではエッジ部ＥＤＧがｘ軸方向に長く延長されたことが図示された。
【０１２１】
本発明の一実施形態において、表示部ＤＰＰにおいてエッジ部ＥＤＧが提供される辺に提供される非活性領域の幅とエッジ部ＥＤＧが提供されない辺に対応される非活性領域との幅が互いに異なる。本発明の一実施形態において、エッジ部ＥＤＧが提供される辺の非活性領域の幅はエッジ部ＥＤＧが提供されない辺の幅より大きくなる。本発明の一実施形態において、エッジ部ＥＤＧが提供される辺の非活性領域にはゲート駆動回路、データ駆動回路、等の駆動回路が提供され、エッジ部ＥＤＧが提供されない辺の非活性領域には駆動回路が提供されなくともよい。
【０１２２】
本発明の一実施形態による表示装置において、エッジ部ＥＤＧは実施形態と異なる多様な形状に提供されることができる。図１４は本発明の一実施形態による表示部ＤＰＰを示した斜視図である。
【０１２３】
図１４によれば、本発明の一実施形態による表示部ＤＰＰは平坦部ＰＬと、平坦部ＰＬの少なくとも一辺に対応して提供され、画像が表示される方向、即ちｚ軸方向に曲がったエッジ部ＥＤＧと、エッジ部ＥＤＧが提供されない辺又は辺に対応して提供され、画像が表示される方向の反対方向、即ち、ｚ軸方向の反対方向に曲がった付加エッジ部ＥＤＧ’を含む。即ち、付加エッジ部ＥＤＧ’は表示部ＤＰＰの活性領域から遠くなる方向に曲がる。
【０１２４】
本発明の一実施形態において、エッジ部ＥＤＧ及び付加エッジ部ＥＤＧ’には信号配線及び／又は駆動回路が提供される。付加エッジ部ＥＤＧ’に提供された信号配線及び／又は駆動回路は画像が表示される方向と反対に曲がった場合にも素子の損傷が起きないようにエッジ部ＥＤＧに提供された信号配線及び／又は駆動回路と異なる密度や異なる形態を有するように提供される。例えば、エッジ部ＥＤＧに提供された信号配線より付加エッジ部ＥＤＧ’に提供された信号配線の厚さがさらに厚くなる。
【０１２５】
また、エッジ部ＥＤＧ及び付加エッジ部ＥＤＧ’の両方にタッチセンサー、偏光板、その他の層少なくとも一層が提供されてもよい。しかし、これに限定されず、エッジ部ＥＤＧ及び付加エッジ部ＥＤＧ’の中で少なくとも１つのみにタッチセンサー、偏光板、その他の層が提供されてもよく、エッジ部ＥＤＧ及び付加エッジ部ＥＤＧの両方にタッチセンサー、偏光板、その他の層が提供されなくともよい。ここで、タッチセンサー、偏光板、その他の層少なくとも１つがエッジ部及び付加エッジ部ＥＤＧの中で少なくともいずれか１つに提供される場合、電子素子に加えられるストレスが小さくなるように電子素子が提供された層が、表示部ＤＰＰの中立面上に位置するように、層が積層される。
【０１２６】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１２７】
したがって、本発明の技術的範囲は明細書の詳細な説明に記載された内容に限定されず、特許請求の範囲によって定まらなければならない。
【符号の説明】
【０１２８】
ＡＣＴ    活性領域
Ｎ＿ＡＣＴ    非活性領域
ＰＬ    平坦部        
ＥＤＧ    エッジ部
ＤＰＰ    表示部
ＨＳＧ    ハウジング
ＢＴ    底部
ＷＬ    側壁部
ＣＶ    蓋部
ＷＤＰ    ウインドーパネル
【図１】
2015118377.tif 000003
【図２】
2015118377.tif 000004
【図３】
2015118377.tif 000005
【図４Ａ】
2015118377.tif 000006
【図４Ｂ】
2015118377.tif 000007
【図５】
2015118377.tif 000008
【図６】
2015118377.tif 000009
【図７Ａ】
2015118377.tif 000010
【図７Ｂ】
2015118377.tif 000011
【図８】
2015118377.tif 000012
【図９】
2015118377.tif 000013
【図１０】
2015118377.tif 000014
【図１１】
2015118377.tif 000015
【図１２】
2015118377.tif 000016
【図１３】
2015118377.tif 000017
【図１４】
2015118377.tif 000018